(57)【要約】【課題】本考案は、多伝送パネルメモリカードを提供し、主に、メモリカードコントロールチップ設計で両面パネル伝送機能を与え、快速伝送および利便性を満たすことである。【解決手段】本考案は、多伝送パネルメモリカードを提供し、その特徴は，メモリカード本体８６にコントロールチップ８２、メモリチップ８３、メモリカードパネル８４、接続パネル８５を有し、前記コントロールチップ８２、メモリチップ８３にメモリカードパネル及び接続パネルが電気的に接続していることより多伝送パネルメモリカードを備えていることで、メモリカードは二種伝送機能を有する。【選択図】　図３
0003098193.tif 000002
【実用新案登録請求の範囲】
【請求項１】
メモリカード本体にコントロールチップ、メモリチップ、メモリカードパネル、接続パネルを有し、前記コントロールチップ、メモリチップにメモリカードパネル及び接続パネルが電気的に接続していることを特徴とする多伝送パネルメモリカード。
【請求項２】
上記コントロールチップについてはメモリカードコントローラー、一フラッシュコントローラーユニット、低電圧差信号伝送機能パネル、低電圧差信号伝送ロジック物理パネル、低電圧差信号伝送コントローラーが包括される請求項１に記載の多伝送パネルメモリカード。
【請求項３】
上記メモリチップは複数のフラッシュメモリによって構成される請求項１に記載の多伝送パネルメモリカード。
【請求項４】
上記おいて、このうち当該メモリチップは複数の読み込みメモリによって構成される請求項１に記載の多伝送パネルメモリカード。
【請求項５】
上記パネルはＵＳＢもしくはこれと同機能を備える電子電機工程師協会ＩＥＥＥが制定した１３９４基準シリーズの接続パネルに連結された請求項１に記載の多伝送パネルメモリカード。
【請求項６】
上記メモリカード本体と接続パネルの相互連結については、当該接続パネルは軸体を円心に回転する請求項１に記載の多伝送パネルメモリカード。
【考案の詳細な説明】
【０００１】
【考案の属する技術分野】
本考案は、多伝送パネルメモリカードを提供し、主に、メモリカードコントロールチップ設計で両面パネル伝送機能を与え、快速伝送および利便性を満たす。
【０００２】
【従来の技術】
デジタルカメラ、ＭＰ３、ノートブック型パソコン、携帯電話及び個人用デジタルアシスト製品で使用されるメモリカードは、大きな容量で小さな体積で、携帯に便利と言う長所を有する。このため広範囲に採用され、業者も続々と各種形式のメモリカードで消費者ニーズを満たしている。市販のメモリカードは主にＳＤ（Ｓｍａｒｔ　Ｄｉｇｉｔａｌ）メモリカード、ＭＳ（Ｍｅｍｏｒｙ　Ｓｔｉｃｋ）メモリカード、ＣＦ（Ｃｏｍｐａｃｔ　Ｆｌａｓｈ）メモリカード、ＳＭ（Ｓｍａｒｔ　Ｍｅｄｉａ（登録商標））　メモリカード、ＭＭＣ（Ｍｕｌｔｉ　Ｍｅｄｉａ　Ｃａｒｄ）　メモリカード、ＭＤ（ＩＢＭ　Ｍｉｃｒｏ　Ｄｒｉｖｅ）　メモリカードなどがあり、外型、寸法・大小はそれぞれ異なり、メモリカード内に保存される資料はコンピュータシステムとの間で取得される。
【０００３】
このためカードリーダーを使用せねばならないが、メモリカードの種類は多く、消費者は多種類のカードリーダーもしくは異なる種類のメモリカードの読み取りが可能な多用途のカードリーダーを備えねばならず、これらは経済ニーズに符合しないばかりでなく、同時にカードリーダーの携帯面でも問題を起こしている。また、メモリカードの容量が絶え間なく増大していることに伴い、処理する資料ファイルも大きくなっているが、資料伝送速度は（ＵＳＢ）パネルもしくはメモリの読み取りの速度に制限されており、現在はＰＣＭＣＩＡを利用し拡充槽に直接ノートブック型パソコン読み取り方式を導入し、ＵＳＢによるパネル読み取り速度の遅さによる欠点を克服しているが、それでも最終的にはフラッシュメモリの読み取り速度に影響され、同時に当該種類の接続カードはわずかにノートブック型パソコンに適用できるのみで、ノートブック型パソコンによって差し込み口の形式は異なるため、資料読み取りが遅すぎる問題を解決できていない。
【０００４】
図１は周知の「フラッシュ電子式読み取りメモリシステム」（ＦＬＡＳＨ　ＥＥＰＲＯＭ　ＳＹＳＴＥＭ，米国特許第５，６０２，９８７号）を示しており、主にコンピュータメインマシンシステムにおけるメモリカードのメモリシステムに接続し、これによってフラッシュ電子式読み取りメモリシステム（ＦＬＡＳＨ　ＥＥＰＲＯＭ　ＡＲＲＡＹ）３３、連接コントローラー（ＣＯＮＴＲＯＬＬＥＲ）３１を非揮発性メモリ（Ｎｏｎ−Ｖｏｌａｔｉｌｅ　Ｍｅｍｏｒｙ）２９に構成し、少なくとも一組の入出力装置Ｉ／Ｏ　ＤＥＶＩＣＥ）２７とし、当該の入出裝置２７はシステムを通じてシステムバス（ＳＹＳＴＥＭ　ＢＵＳ）２３をコンピュータシステムのマイクロプロセッサー（ＭＩＣＲＯ−ＰＲＯＣＥＳＳＯＲ）２１、および附属の読み取りメモリ（Ｒ．Ａ．Ｍ．）２５に連結し、大量の演算か循環の正確性を維持する。しかしながら、この周知の技術の主要な欠点は拘束伝送および共通性のニーズに符合させることができない点にある。
【０００５】
また、図２に周知の一種「ＵＳＢパネルのフラッシュメモリディスクを備えた構造」（Ａｒｃｈｉｔｅｃｔｕｒｅ　ｆｏｒ　ａ　ｕｎｉｖｅｒｓａｌ　ｓｅｒｉａｌ　ｂｕｓ−ｂａｓｅｄ　ＰＣ　ｆｌａｓｈ　ｄｉｓｋ，米国特許第６，１４８，３５４号）を示す。当該周知の技術は主にフラッシュ部品（Ｆｌａｓｈ　Ｃｏｍｐｏｎｅｎｔｓ）５８とＵＳＢ連結器（ＵＳＢ　Ｃｏｎｎｅｃｔｏｒ）５２の間の一連のパネル６４に連結し、当該パネル６４への連結には一ＵＳＢロジック／物理パネル（ＵＳＢ　Ｌｏｇｉｃａｌ／Ｐｈｙｓｉｃａｌ　Ｉｎｔｅｒｆａｃｅ）６６及びＵＳＢ機能パネル（ＵＳＢ　Ｆｕｎｃｔｉｏｎ　Ｉｎｔｅｒｆａｃｅ）６８を有する。ＵＳＢ機能パネル６８の情報伝送は応用パッケージ転換器（Ａｐｐｌｉｃａｔｉｏｎ　Ｐａｃｋｅｔ　Ｅｘｔｒａｃｔｏｒ）７０を経由し、応用指令解釈器（（Ａｐｐｌｉｃａｔｉｏｎ　Ｃｏｍｍａｎｄ　Ｉｎｔｅｒｐｒｅｔｅｒ７２２とし、解析器（Ａｄｄｒｅｓｓ　　Ｒｅｓｏｌｖｅｒ）７４のポジションにおいて、資料及び状態ハンダー（Ｄａｔａ　Ａｎｄ　Ｓｔａｔｕｓ　Ｈａｎｄｌｅｒ）７６、メモリ技術駆動プログラム（ＭＴＤ）７８を処理した後、フラッシュデバイス５８まで伝送する。これらの構造において、保存もしくは削除可能なフラッシュメモリモジュールとする。当該の周知の技術の主要な欠点は、コンピュータとのみ連結可能で、端末設備との間で接続するというニーズを満たすことができず、点対点（Ｐｅｅｒ　Ｔｏ　Ｐｅｅｒ）のネット連結構造において、資源共有ができない。
【０００６】
このほかに「両面パネルのメモリカード及びその転換モジュールを備えたもの」（中華民国新形特許公告第４８１３１４号）がある。これは、図３に示すように、メモリ組及び前述のメモリ組連接のマイクロコントローラー部品が含まれる。このなかには、当該コントローラーのパーツを同時に有しており、ＵＳＢパネル及びＨＯＳＴパネル，当該ＵＳＢパネルをコンピュータと接続し、コンピュータのメモリカード資料の読み込み書き込みを助けるものとする。また、ＨＯＳＴパネルはメモリカードの関係製品の接続をセッティングし、記録資料の書き込みと読み込みを助ける。当該の周知の構造の特点によって、その転換モジュールとコンピュータを接続することで、資料の読み込み書き込みを進め、そのスピードを速め、読み込み書き込みの速度を向上させる。しかし当該構造は依然として伝統的なカードリーダーのスタイルから脱しておらず、またその転換モジュールは依然としてメモリカードの選択性を有しており、メモリカードが必ず配合せねばならない転換モジュールを通じてコンピュータシステムと接続することができるというものである。
【０００７】
【考案が解決しようとする課題】
周知技術の欠落に鑑み、本考案の主要目的は多伝送パネルメモリカードを備えており、その特徴は当該メモリカードコントロールチップに両面パネル伝送機能が備わっていることで、メモリカードは二種伝送機能を有する。多種電子の末端製品との相互連通の共通性に利便性を提供しており、伝送製を向上させ体積を縮小させ、コストを引き下げている。
【０００８】
【課題を解決するための手段】
前記課題を解決するため本考案は、メモリカード本体にコントロールチップ、メモリチップ、メモリカードパネル、接続パネルを有し、前記コントロールチップ、メモリチップにメモリカードパネル及び接続パネルが電気的に接続していることより多伝送パネルメモリカードを備えており、当該メモリカードコントロールチップに両面パネル伝送機能が備わっていることで、メモリカードは二種伝送機能を有する。
【０００９】
【考案の実施の形態】
以下に、本考案の実施の形態を、添付図面を参照して詳細に説明する。
図４及び図５は本考案の比較的良好な実施の形態についての異なる角度の外観立体図で、本考案の一種の多伝送パネルメモリカードで当該メモリカード８０にはメモリカード本体８６が備わっており、当該本体８６にはメモリカードパネル８４及び接続パネル８５が備わっており、当該メモリカードパネル８４はＳＤ（ＳｍａｒｔＤｉｇｉｔａｌ）メモリカードとすることができ、ＭＳ（Ｍｅｍｏｒｙ　Ｓｔｉｃｋ）メモリカード、ＣＦ（Ｃｏｍｐａｃｔ　Ｆｌａｓｈ）メモリカード、ＳＭ（Ｓｍａｒｔ　Ｍｅｄｉａ（登録商標））　メモリカード、ＭＭＣ（Ｍｕｌｔｉ　Ｍｅｄｉａ　Ｃａｒｄ）　メモリカード、ＭＤ（ＩＢＭ　Ｍｉｃｒｏ　Ｄｒｉｖｅ）　メモリカードなどのメモリカードパネルとして，接続パネル８５に接続してＵＳＢもしくは電子電機工程師協会ＩＥＥＥが制定する１３９４基準シリーズの接続パネルとすることができる。
【００１０】
また、同時に図６乃至図８を参照し、その当該カバー８６に設けられた電路ボード８１について、前述の当該メモリカードパネル８４および接続パネル８５にはいずれも当該電路ボード８１があり、当該電路ボード８１にはコントロールチップ８２がありメモリカードパネル８４をと繋がっており、少なくともメモリチップ８３とコントロールチップ８２は接続パネル８５に繋がっており、前述の当該コントロールチップ８２には一メモリカードコントローラー（Ｍｅｍｏｒｙ　Ｃａｒｄ　Ｃｏｎｔｒｏｌｌｅｒ）８２１、一フラッシュコントローラー単元（Ｆｌａｓｈ　Ｃｏｎｔｒｏｌｌｅｒ　Ｕｎｉｔ）８２２に繋がっており、低電圧差の信号伝送機能パネル（ＬＶＤＳ　Ｆｕｎｃｔｉｏｎ　Ｉｎｔｅｒｆａｃｅ）８２３、低電圧差の信号伝送ロジック／物理パネル（ＬＶＤＳ　Ｌｏｇｉｃａｌ／Ｐｈｙｓｉｃａｌ　Ｉｎｔｅｒｆａｃｅ）８２４、低電圧差の信号伝送コントローラー（ＬＶＤＳ　Ｃｏｎｔｒｏｌｌｅｒ）８２５については、これら当該メインマシンパネル８５によって直接メモリカード８０とコンピュータシステムに連結し、コンピュータシステムとメモリカード８０の相互の資料伝送に利便性を与えている。またコントロールチップ８２が資料伝送を請け負っており、言い換えれば当該コントロールチップ８２には両面パネル設計があり、一片はメモリカードパネルで、もう一片はＵＳＢもしくは電子電機工程師協会ＩＥＥＥの制定する１３９４基準シリーズの接続パネルである。
【００１１】
図９及び図１０に示すように、当該メモリカード１８０のメモリカード本体１８６と接続パネル１８５は一軸体１８６１によって結ばれ、当該メモリカードパネル１８４及び接続パネル１８５は電気的に接続可能となっており、当該接続パネル１８５は当該軸体１８６１を中心に回転しており、接続パネル１８５をコンピュータメインマシンに接続して多角度性の変化を与え、空間の制限を受けない。
【００１２】
図１１及び図１２に示すように、当該メモリカード２８０の接続パネル２８５及びメモリカード本体２８６は、それぞれ別個に接続パネル２８５及びメモリカード本体２８６上の軸体２８５１、２８６１と相互に接しており、当該軸体２８５１、２８６１は電気的接点（図中では示していない）を通じて、接続パネル２８５をメモリカード本体２８６の後に電気的接続関係を有するように設置する。同様にまた当該接続パネル２８５は当該軸体２８５１、２８６１を円心に回転しており、接続パネル２８５をコンピュータメインマシンに接続して多角度性の変化を与え、空間の制限を設けない。
【００１３】
【考案の効果】
以上のように、本考案はメモリカード本体に備えたコントロールチップにはメモリカードパネル及び接続パネルを有し、両面パネルの伝送機能が備わっており、その長所は以下の通りである。
▲１▼多種電子末端製品との相互連結での共通性を高め、端末設備のコンピュータに対する共通性、端末設備の端末設備に対する資料の相互性を高める。
▲２▼ＵＳＢもしくは電子電機工程師協会ＩＥＥＥの制定した１３９４基準シリーズの接続パネルで伝統的なメモリカードの伝送速度を突破できる。
▲３▼カードリーダー配備のコストを削減でき経済的ニーズに符合する。
▲４▼カードリーダーに配合させる必要はなく、体積は軽く携帯に便利。
以上述べたところは、本考案の比較的良好な実施例であり、本考案の範囲を制限するものではない。凡そ本考案の登録申請の範囲における変化や修飾はいずれも本考案の重要な所在を失わせるものではなく、また本考案の精神の範囲から逸脱するものでもなく、よっていずれも本考案の一歩進んだ情況であると見なすことができる。
【図面の簡単な説明】
【図１】周知技術一のブロック回路図。
【図２】周知技術二のブロック回路図。
【図３】周知技術三のブロック回路図。
【図４】本考案の比較的良好な実施の形態についての斜視図である。
【図５】図４の異なる角度から観た斜視図である。
【図６】本考案の比較的良好な実施の形態についての構造を示す説明図。
【図７】本考案の比較的良好な実施の形態についての資料伝送でのブロック回路図。
【図８】本考案の電路回路図。
【図９】本考案のもう一つの実施の形態の斜視図。
【図１０】図１０に示した実施の形態について異なる角度から観た斜視図。
【図１１】本考案のもう一つの実施の形態の外観分解図。
【図１２】図１１の実施の形態の外観組み合わせ図。
【符号の説明】
２１　マイクロプロセッサー、２３　システムＵＢＳ、２５　附属読み取りメモリ、２７　入出力装置、２９　非揮発性メモリ、３１　コントローラー、３３　フラッシュ電子式読み取りメモリシステム、５８　フラッシュデバイス、５２　ＵＳＢ接続器、６４　接続パネル、　６６
ＵＳＢロジック／物理パネル、６８　ＵＳＢ機能パネル、７０　応用パッケージ転換器、７２　応用指令解釈器、７４　ポジション解析器、７６　資料及び状態ハンドラー、７８　メモリ技術駆動プログラム、８０，８０，１８０，２８０　メモリカード、８１　路ボード、８２　コントロールチップ、８２１　メモリカードコントローラー、８２２
フラッシュコントローラー単元、８２３　低電圧差信号伝送機能パネル、９２４低電圧差信号伝送ロジックク／物理パネル、８２５　低電圧差信号伝送コントローラー、８３　メモリチップ、８４，１８４　メモリカードパネル、８５，１８５，２８５　接続パネル、８６，１８６，２８６　メモリカード本体、１８６１，２８５１，２８６１　軸体
【図１】
0003098193.tif 000003
【図２】
0003098193.tif 000004
【図３】
0003098193.tif 000005
【図４】
0003098193.tif 000006
【図５】
0003098193.tif 000007
【図６】
0003098193.tif 000008
【図７】
0003098193.tif 000009
【図８】
0003098193.tif 000010
【図９】
0003098193.tif 000011
【図１０】
0003098193.tif 000012
【図１１】
0003098193.tif 000013
【図１２】
0003098193.tif 000014